(57)【要約】【課題】  自動蓄尿検査装置における尿投入口を開閉する蓋を改良し、装置の小型化及び操作の容易性を高めることである。【解決手段】  尿投入口１３を開閉する蓋１２が第１，第２，第３の蓋１２ａ，１２ｂ，１２ｃに３分割されて構成されている。  これらの蓋は巻取りプーリ１２ｌによりワイヤー１２ｈを巻き取ることで、折り畳み式に収納されて尿投入口１３を開き、その収納状態では蓋の高さは分割された蓋の高さとなるので、表示パネル１０の確認及び操作を阻害することはない。ワイヤー１２ｈを弛緩すると、バネ１２ｋの拡開力によって折り畳まれた蓋が伸張され尿投入口１３を閉じる。【選択図】  図３
2005114660.tif 000002
【特許請求の範囲】
【請求項１】
尿を投入する尿投入口を開閉する蓋と、上記尿投入口の後方に配設された表示操作部とを備え、
上記蓋を複数に分割すると共に各蓋を互いに可動であるように連結させて構成し、上記尿投入口を開くときに複数の蓋の各々を尿投入口の後方側に移送するように構成したことを特徴とする自動蓄尿検査装置。
【請求項２】
前記分割された複数の蓋は、夫々の連結部から折り畳まれて開閉されるように構成したことを特徴とする請求項１に記載の自動蓄尿検査装置。
【請求項３】
前記分割された複数の蓋は、スライドして互いに重なり合うことにより開閉されるように構成したことを特徴とする請求項１に記載の自動蓄尿検査装置。
【請求項４】
前記分割された複数の蓋は、屈曲可能なシャッター状に連結して構成され、複数の蓋を巻き込むことにより上記尿投入口の後方側に配設された収納部に収納して開閉されるように構成したことを特徴とする請求項１に記載の自動蓄尿検査装置。
【発明の詳細な説明】
【技術分野】
【０００１】
本発明は、病院などの医療施設に設けられ、患者等から採取される尿を蓄尿および検査する自動蓄尿検査装置に係わり、特に、自動蓄尿検査装置における尿投入口を開閉する蓋の改良に関する。
【背景技術】
【０００２】
蓄尿検査は、患者の水分の代謝を観察するためや尿中成分の定量を行うための手法として用いられる。病院においては、入院患者の蓄尿検査を行うために、共同トイレや汚物処理室等に５人から５０人程度の患者が使用する自動蓄尿検査装置を設置している。
【０００３】
しかるに従来の自動蓄尿検査装置においては、例えば、特開２００１−２７２３１３号（特許文献１）で提案されているように、上記装置の尿投入口を開閉する蓋は１枚構造であるので大型とならざるを得なかった。そのため、蓋が開いた状態では、その後方に位置する表示部（患者識別入力装置）や操作部等が隠蔽されることから、表示内容を確認すること、および、操作することが困難であった。この問題を避けるため表示部等を大型にしたり、あるいは、蓋よりも高い位置に設置する必要があるが、装置が大型になってしまう問題があった。そこで、蓋を９０°の角度に開けることなく、例えば、開角度を４５°とすることによって、蓋の高さを低く抑えた装置も市販されている。しかし、このような蓋の開閉構造とすると、蓋は半開きの状態のために、尿が投入し難い問題がある。
【０００４】
上述したように、従来の自動蓄尿検査装置における尿投入口を開閉する蓋の構造では、尿投入口の蓋を最大の開角度で開いた場合には、その後方に配設される表示操作部の表示内容の確認を容易にすることや、操作を良好にするために、表示操作部を高く構成する必要があった。特に、５０人程度の多数の患者が使用できる装置では、従来の蓋の構造が装置の小型化を阻害する要因となっていた。
【０００５】
【特許文献１】特開２００１−２７２３１３号公報
【発明の開示】
【発明が解決しようとする課題】
【０００６】
本発明の課題は、自動蓄尿検査装置における尿投入口を開閉する蓋を改良し、蓋を開いた状態であっても高さを低くして、蓋の後方に配設される表示部の確認及び操作を容易にすることができ、しかも、装置全体を小型化することができるようにすることにある。
【課題を解決するための手段】
【０００７】
上記課題を解決するため、請求項１の発明の自動蓄尿検査装置は、尿を投入する尿投入口を開閉する蓋と、上記尿投入口の後方に配設された表示操作部とを備え、上記尿投入口を開閉する蓋を複数に分割すると共に各蓋を互いに可動であるように連結させ、上記尿投入口を開くときに複数の上記蓋を後方側に移送するように構成したことを要旨とする。
【０００８】
また、請求項２の発明は、請求項１の発明において、分割された複数の蓋は、夫々の連結部から折り畳まれて開閉されるように構成したことを要旨とする。
【０００９】
また、請求項３の発明は、請求項１の発明において、分割された複数の蓋は、スライドして互いに重なり合うことにより開閉されるように構成したことを要旨とする。
【００１０】
更に、請求項４の発明は、請求項１の発明において、分割された複数の蓋は、屈曲可能なシャッター状に連結して構成され、複数の蓋を巻き込むことにより上記尿投入口の後方側に配設された収納部に収納して開閉されることを要旨とする。
【発明の効果】
【００１１】
本発明の請求項１に記載の発明によれば、尿投入口を開閉する蓋を複数に分割させ、これらの蓋を連結させた構造としたので、分割した複数の蓋を後方に移送して収納し開けた状態としても、コンパクトな収納状態とすることができ、その後方の表示部の確認及び操作を阻害することがなくなり、しかも、装置全体をコンパクトにすることができる。
【００１２】
また、請求項２に記載の発明によれば、分割された複数の蓋を折り畳むことによって蓋の高さが複数分の１以下に低くすることが可能となり、後方の表示部を低い位置に設置しても、蓋によって隠蔽されることなく確認及び操作ができる。また、蓋を３分割した場合には、最前部の蓋は裏面が露出するので、例え尿を勢いよく投入しても後方にこぼれることが防止されると共に、蓋に尿が付着しても蓋が閉まるときに付着した尿が尿投入口に入ることになるので、尿量の誤差を小さくすることが可能となる。
【００１３】
さらに、請求項３に記載の発明によれば、分割された複数の蓋をスライドして重なり合うように構成したので、蓋を後方に移送して尿投入口を開けた状態とした場合における蓋の高さをさらに低くすることが可能となる。
【００１４】
さらにまた、請求項４に記載の発明によれば、分割された複数の蓋をシャッター状に構成したので、尿投入口の後方側の収納部に蓋を収納した状態でも、蓋の高さは尿投入口を閉じた状態と同じであり、後方の表示部をさらに低い位置に設置することが可能となり、装置全体をさらにコンパクトにすることが可能となる。
【発明を実施するための最良の形態】
【００１５】
自動蓄尿検査装置は、尿を投入する尿投入口が設けられ、この尿投入口には蓋が設けられていて、蓋によって尿投入口が開閉される。また、尿投入口の後方には、各種の情報を表示したり、患者等が所定の情報を入力する操作部等からなる表示操作部が備えられている。上記尿投入口を開閉する蓋は複数に分割され、各々の蓋は互いに連結されていて、折り畳み式またはスライド式、或いはシャッター式に構成されている。複数の上記蓋を後方側に移送することにより尿投入口が開き、この蓋が開いた状態でも、蓋をコンパクトな収納状態とすることができる。
【実施例１】
【００１６】
図１及び図２は、患者名等の識別入力装置としてのタッチセンサー式表示パネルを備えた自動蓄尿検査装置の一実施例を示す。同図において、１０はタッチセンサー式表示パネル、１１は自動蓄尿検査装置、１２は手動又は自動式で開閉可能の蓋、１３は尿投入口である。
【００１７】
タッチセンサー式表示パネル１０は、例えば、所定の大きさのタッチセンサーパネル１０ａと液晶表示パネル１０ｂとを積層して成り、液晶表示パネル１０ｂは複数の表示区域１０ｃを有し、各表示区域は患者名又はその記号（Ａ〜Ｓ）を表示する。但し、少なくとも１つの表示区域１０ｃ’は次ページキーの表示としてもよい。
【００１８】
上述した構成のタッチセンサー式表示パネル１０は、蓋１２によって開閉される尿投入口１３の後方に設けられ、従って蓋１２の開放状態での高さがその確認及び操作に影響を与えるので、その高さを低くすることが求められる。なお、上記次ページキーは複数のページに患者名又はその記号を表示する場合、各ページを選択するために使用され、このキーにタッチする毎に次ページの患者名又はその記号が表示され、この次ページキーを設けることによって多くのページに表示することができる。
【００１９】
尿投入口１３から投入された尿は尿受け部１１ａよりバルブ１１ｂを介して尿量／比重測定部１１ｃに至る。この測定部１１ｃではその尿の量及び比重が測定され、測定後の尿は尿保存機構１１ｄに一時的に保存される。尿は尿保存機構１１ｄからの尿は尿分注機構１１ｅによって各尿保存容器１１ｆに下記のようにして分注される。
【００２０】
例えば、この尿保存容器１１ｆは５〜５０個の容器が円周上に配列され、図示していない尿処理コントローラの指令によって定められた容器（例えばＡ）まで回転させられる。そしてその位置、つまり指定の容器（Ａ）が所定位置に停止した時、尿分注機構１１ｅが下降して尿保存機構１１ｄからの尿をその容器（Ａ）に注入する。なお、尿保存容器１１ｆを固定し、尿分注機構１１ｅを回転させるようにしてもよい。
【００２１】
上記した装置において、患者がタッチセンサー式表示パネル１０の自己の名前の表示区域にタッチすると、タッチセンサーパネル１０ａからそのタッチに応じた信号が出力され、その信号に応答して装置内の図示していない投入口コントローラによって、後述する巻取りプーリ１２ｌを回転駆動すると共にワイヤー１２ｈを引くことにより蓋１２が開放される。
【００２２】
その後、患者は尿を尿投入口１３に投入する。投入された尿は測定部１２ｃで投入された尿の容量及び比重が測定される。その後、尿の全部又はその一部が尿保存機構１１ｄに保存され、必要でない尿はパイプ１１ｇを介して排出されると共に必要な尿は尿分注機構１１ｅにより各尿保存容器１１ｆに分注、保存される。
【００２３】
而して本発明においては、蓋１２を複数の蓋に分割して構成する。  
図３は蓋１２を３分割構成とした本発明の一実施例を示す。同図において、１２ａ，１２ｂ及び１２ｃは蓋１２を３分割した第１，第２，第３の蓋、１２ｄはロッド、１２ｅはアーム、１２ｆはシャフト、１２ｇはガイド溝、１２ｈはワイヤー、１２ｉ，１２ｊはシャフト、１２ｋはバネ、１２ｌは巻取りプーリ、１２ｍはテンション機構である。
【００２４】
蓋１２ａ，１２ｂ，１２ｃは、尿投入口１３を開閉する一枚の蓋を３分割した各部分であり、従って、尿投入口１３を閉じたときにおける各々の蓋１２ａ，１２ｂ，１２ｃの形状は、尿投入口１３の形状を３分割した形状となっている。そして、蓋１２ａ，１２ｂ，１２ｃは、シャフト１２ｆ，１２ｉによって互いに回動可能に連結され、第３の蓋１２ｃはシャフト１２ｊによって尿投入口１３の表示パネル１０側の後端部に回動可能に取り付けられている。また、蓋１２ｂ，１２ｃは、尿投入口１３を閉じた状態で連結部分が隆起するようになっている。
【００２５】
バネ１２ｋはシャフト１２ｉに巻回され拡開習性を有し蓋１２ｂ，１２ｃに係合し、シャフト１２ｉを中心として拡開力を作用させるので、ワイヤー１２ｈを引いていない図示の状態では各蓋は伸張していて尿投入口１３を閉じている。
【００２６】
所定の長さを有するロッド１２ｄは、一端１２ｄ’が自動蓄尿検査装置１１の本体に回動可能に取り付けられ、その他端１２ｄ”はアーム１２ｅの一端に回動可能に係合され、アーム１２ｅの他端は第１の蓋１２ａに取り付けられていて、シャフト１２ｆはガイド溝１２ｇ内で摺動可能になっている。
【００２７】
更に、シャフト１２ｆには、連結具１２ｍを介してワイヤー１２ｈが取り付けられ、ワイヤー１２ｈの他端はプーリ１２ｌに巻回されており、プーリ１２ｌは図示していない駆動モータによって回転させるようになっている。従ってプーリ１２ｌが回転すると、ワイヤー１２ｈによってシャフト１２ｆが引っ張られてガイド溝１２ｇ内を摺動して図示の右方向に後退する。この後退動作に伴って、ロッド１２ｄの長さが変わらないので、アーム１２ｅの一端が引かれることから、シャフト１２ｆを中心として回動する。この回動により、アーム１２ｅの他端に取り付けた蓋１２ａが回動して、図４に示すように起立して行く。一方、第２、第３の蓋１２ｂ、１２ｃは、前述したように、連結部分を隆起させているので、ワイヤー１２ｈによってシャフト１２ｆを引っ張ることにより連結部分から図４に示すように折り畳まれるようになっている。
【００２８】
以上のような３分割構成の蓋において、巻取りプーリ１２ｌが回転し、ワイヤー１２ｈが巻き取られると、バネ１２ｋの拡開力に抗してシャフト１２ｆがガイド溝１２ｇ内を摺動するように引っ張られてアーム１２ｅ、ロッド１２ｄが回動するので、図４に示すように第１の蓋１２ａが起立し後退するから、第２、第３の蓋１２ｂ，１２ｃは折り畳まれ、シャフト１２ｆがガイド溝１２ｇの端部までくると、図５の状態になって尿投入口１３が開く。図５から明らかなように尿投入口１３が開いた状態で、各蓋は折り畳まれるので、蓋の高さはほぼ１／３となり、表示パネル１０の確認及び操作を阻害することがない。
【００２９】
図５の状態において、巻取りプーリ１２ｌが逆回転すると、ワイヤー１２ｈの引っ張り力がなくなるので、バネ１２ｋの拡開力が第２、第３の蓋１２ｂ，１２ｃに作用し、これらを拡開させると共に、シャフト１２ｆがガイド溝１２ｇ内を前進するので、各蓋は伸張され、尿投入口１３が閉められる。
【００３０】
上述した蓋の開閉動作は、駆動モータによりプーリ１２ｌを回転させることにより、ワイヤー１２ｈの巻き取りと巻き戻しを行うようにしている。ところが、尿を投入しようとする患者によっては、蓋を手動によって開けようとする場合がある。手動操作を行ったときに、プーリ１２ｌにワイヤー１２ｈが巻き取られないことから、ワイヤー１２ｈがプーリ１２ｌから離脱することがある。このような現象を回避するために、プーリ１２ｌの内部或いは外部にテンション機構１２ｎを設けておくことが望ましい。すなわち、テンション機構１２ｎによってプーリ１２ｌの回転動作を規制することによってワイヤー１２ｈの動きを規制し、ワイヤー１２ｈからの離脱を防止することが可能となる。
【実施例２】
【００３１】
図６は蓋１２を２分割構成とした本発明の他の実施例を示す。同図において、２０は第１の蓋、２１は第２の蓋、２２，２３はシャフト、２４は図示の拡開習性を有するバネ、２５はローラ、２６はガイド、２７は図示していない駆動モータにより回転せしめられる巻取りプーリ、２８はワイヤーである。
【００３２】
第１の蓋２０はシャフトを介して第２の蓋２１に回動可能に連結され、第２の蓋２１はシャフト２３によって尿投入口１３の表示パネル１０側の後端部に枢支されており、バネ２４はシャフト２２に巻回され拡開習性を有し蓋２０，２１に係合し、これらにシャフト２２を中心として拡開力を作用させるので、ワイヤー２８を引いていない図示の状態では各蓋は伸張していて尿投入口を閉じている。この例においても、第１の蓋２０と第２の蓋２１との連結部分を隆起させている。また、第１の蓋２０の前端部にはローラ２５が取り付けられ、該ローラ２５は尿投入口１３に設けられたガイド２６に沿って滑動可能となっている。
【００３３】
以上の構成の蓋において、巻取りプーリ２７が回転しワイヤー２８が巻き取られると、ローラ２５がガイド２６上を滑動するように引っ張られるので、図７に示すように蓋２０はバネ２４の拡開力に抗してシャフト２２の周りに回動して、第１の蓋２０と第２の蓋２１との連結部分が隆起すると共に起立することにより後退し、第２の蓋２１はシャフト２３の周りに回動して、これらの蓋は図７に示すように折り畳まれ、ローラ２５がガイド２６の端部までくると尿投入口が開く。図７から明らかなように、尿投入口１３が開いた状態で、各蓋は折り畳まれるので、蓋の高さはほぼ１／２となり、表示パネル１０の確認及び操作を阻害することがなく、しかもその開閉機構はより簡単となる。
【００３４】
この場合、図７の２点鎖線で示すように第１の蓋２０が尿投入口１３に対して鋭角になるように構成してもよい。  
これに対して、実線で示す構成の場合は、採尿カップから尿投入口１３に尿を投入したとき、第１の蓋２０の表面に尿を掛けて汚してしまう可能性がある。しかし上記のように鋭角となるように構成すれば、尿を掛ける可能性が減少する。  
図７の状態において、巻取りプーリ２７が逆回転すると、ワイヤー２８の引っ張りがなくなるので、バネ２４の拡開力が蓋２０，２１に作用し、これらを拡開させると共にローラ２５をガイド２６上を前進させるので、各蓋は伸張され、尿投入口１３は閉められる。この実施例においても、巻取りプーリ２７の内部または外部にテンション機構２９を設けておくことが望ましい。
【実施例３】
【００３５】
図８は蓋１２を３分割構成とし、かつ分割された各蓋をスライド式に開閉する本発明の更に他の実施例を示す。同図において、３０，３１，３２は夫々第１，第２，第３の蓋、３３はシャフト、３４は連結具、３５，３６はプーリ、３７は図示していない駆動モータによって回転せしめられる巻取りプーリ、３８はワイヤー、３９はガイドピン、４０はガイド溝、４１は戸袋部である。
【００３６】
シャフト３３は第１の蓋３０の後端部に取り付けられ、連結具３４がシャフト３３又は第１の蓋３０に固着されており、連結具３４の一端にはワイヤー３８が係止されている。プーリ３５はガイド溝４０のほぼ後端部に設けられ、プーリ３６はその下方に、また、巻取りプーリ３７は戸袋部４１の下方に、夫々設けられている。連結具３４の一端に係止されたワイヤー３８はプーリ３５から下方にプーリ３６を介して巻取りプーリ３７に巻き取られている。各蓋３０，３１，３２は係合していて、ガイドピン３９は第２の蓋３１に設けられ、ガイド溝４０に係合して摺動可能となっている。
【００３７】
以上の構成の蓋において、巻取りプーリ３７が回転してワイヤー３８が巻き取られると、第１の蓋３０が戸袋部方向に引っ張られるので、第２，第３の蓋３１，３２は戸袋部方向にスライドする。図９に示すように、第１の蓋３０の連結具３４が上方のプーリ３５に到達すると、蓋３１，３２は重なり合って戸袋部４１に収納されると共に連結具３４はワイヤー３８によりプーリ３５の下方に引っ張られるので、第１の蓋３０はプーリ３５の周りに回動して起立し尿投入口１３が開く。
【００３８】
図９から明らかなように、尿投入口１３が開いた状態で、蓋３１，３２は収納され、蓋３０のみが起立しているので、蓋の高さはほぼ１／３となり、表示パネル１０の確認及び操作を阻害することはない。
【００３９】
なお、上述の実施例において、手動にて第１の蓋３０を倒してから前方に引っ張ることによって簡単に蓋を閉めることができるが、第１の蓋３０のシャフトと、例えば、装置本体の前方との間に引っ張りバネを懸架することにより、ワイヤー３８を弛緩した時にそのバネの弾力によって各蓋が戻り、尿投入口１３を自動的に閉めるように構成することもできる。
【００４０】
また分割された複数蓋を屈曲可能にシャッター状に連結して構成し、尿投入口の前端部と後端部近傍に夫々巻取部を設け、シャッター状に連結された蓋の前端部及び後端部を各巻取部に係合させ、尿投入口を開く時はその後端部近傍の巻取部により蓋を巻取り、また閉じる時はその前端部近傍の巻取部により蓋を巻取るように構成してもよい。このような構成とすれば開いた状態でも蓋が起立することは全くないので、表示パネルの確認及び操作を阻害することは完全になくなる。
【産業上の利用可能性】
【００４１】
本発明は、病院などの医療施設に設けられる自動蓄尿検査装置等に適用できる。
【図面の簡単な説明】
【００４２】
【図１】タッチセンサー式表示パネルを備えた自動蓄尿検査装置の一例を示す概略図である。
【図２】上記自動蓄尿検査装置の一構成例を示す概略図である。
【図３】尿投入口を開閉する蓋の本発明による一実施例を示す概略図である。
【図４】図３の実施例の動作説明図である。
【図５】図３の実施例の動作説明図である。
【図６】尿投入口を開閉する蓋の本発明による他の実施例を示す概略図である。
【図７】図６の実施例の動作説明図である。
【図８】尿投入口を開閉する蓋の本発明による更に他の実施例を示す概略図である。
【図９】図８の実施例の動作説明図である。
【符号の説明】
【００４３】
１０  タッチセンサー式表示パネル
１１  自動蓄尿検査装置
１２  蓋
１２ａ  第１の蓋
１２ｂ  第２の蓋
１２ｃ  第３の蓋
１３  尿投入口
【図１】
2005114660.tif 000003
【図２】
2005114660.tif 000004
【図３】
2005114660.tif 000005
【図４】
2005114660.tif 000006
【図５】
2005114660.tif 000007
【図６】
2005114660.tif 000008
【図７】
2005114660.tif 000009
【図８】
2005114660.tif 000010
【図９】
2005114660.tif 000011